(57)【要約】      （修正有）【課題】清掃時に発生する静電気による電子回路基板の破壊を防止する電気掃除機の吸込口体を提供する。【解決手段】吸込口３１ａ１１を有する吸込口本体３１と、前記吸込口本体内で前記吸込口の近傍に回転可能に設けられた回転ブラシ３１ｘとを備え、前記吸込口本体は、前記回転ブラシを部分的に包囲する回転ブラシ包囲壁部３１ａｗ１を有し、前記回転ブラシ包囲壁部が帯電防止剤を含む樹脂にて形成されたことを特徴とする電気掃除機の吸込口体である。【選択図】図４
2019136386.tif 000002
【特許請求の範囲】
【請求項１】
吸込口を有する吸込口本体と、前記吸込口本体内で前記吸込口の近傍に回転可能に設けられた回転ブラシとを備え、
前記吸込口本体は、前記回転ブラシを部分的に包囲する回転ブラシ包囲壁部を有し、
前記回転ブラシ包囲壁部が帯電防止剤を含む樹脂にて形成されたことを特徴とする電気掃除機の吸込口体。
【請求項２】
前記回転ブラシ包囲壁部は、前記帯電防止剤を５〜１５重量％含有する透明樹脂にて形成された請求項１に記載の吸込口体。
【請求項３】
前記吸込口本体内に設けられた回転ブラシ用モータと、前記回転ブラシ用モータの回転力を前記回転ブラシに伝達するように前記吸込口本体内に設けられた回転力伝達機構部と、前記接続管部に設けられた外部端子部と、前記外部端子部と前記回転ブラシ用モータが有する端子部とをそれぞれ電気的に接続する導電体とをさらに備えた請求項１または２に記載の吸込口体。
【請求項４】
前記吸込口本体内に設けられたタービンと、前記タービンの回転力を前記回転ブラシに伝達するように前記吸込口本体内に設けられた回転力伝達機構部とをさらに備えた請求項１または２に記載の吸込口体。
【請求項５】
前記吸込口本体に回転可能に設けられた駆動輪と、前記駆動輪に前記吸込口本体内に設けられた駆動輪用モータと、前記接続管部に設けられた外部端子部と、前記外部端子部と前記駆動輪用モータが有する端子部とをそれぞれ電気的に接続する導電体とをさらに備えた請求項１〜４のいずれか１つに記載の吸込口体。
【請求項６】
前記吸込口本体に揺動可能に取り付けられた接続管部をさらに備え、
前記接続管部が、帯電防止剤を含む樹脂にて形成された請求項１〜５のいずれか１つに記載の吸込口体。
【発明の詳細な説明】
【技術分野】
【０００１】
本発明は、電気掃除機の吸込口体に関する。
【背景技術】
【０００２】
従来の電気掃除機として、電動送風機および集塵部を有する掃除機本体と、回転ブラシを有する吸込口体と、掃除機本体と吸込口体とを接続する延長パイプとを備えたスティック型の電気掃除機が知られている（例えば、特許文献１）。
【０００３】
また、他の従来の電気掃除機として、電動送風機および集塵部を有する掃除機本体と、回転ブラシを有する吸込口体と、掃除機本体に接続される一端部を有しかつ他端部にハンドルを有する可撓性ホースと、吸込口体と可撓性ホースの他端部とを接続する延長管とを備えたキャニスター型の電気掃除機が知られている（例えば、特許文献２参照）。
【先行技術文献】
【特許文献】
【０００４】
【特許文献１】特開２０１７−１９２４３６号公報
【特許文献２】特許第５７３４２３３号公報
【発明の概要】
【発明が解決しようとする課題】
【０００５】
特許文献１の電気掃除機では、吸込口体内に空気と共に吸引されるダストは気流によって吸込口体から延長パイプを介して掃除機本体の集塵部まで運ばれて捕集されるが、この間、高速回転する回転ブラシとダストとの摩擦、吸込口体内の流路形成壁とダストとの摩擦、ダスト同士の摩擦等によって静電気が発生し、この静電気によって掃除機本体内の電子回路基板が破壊される場合があった。この現象（静電破壊現象）は、特に、多量の粉状のダストを一気に吸引したときに生じることが本発明者らの実験により明らかにされた。
【０００６】
また、本発明者らは、回転ブラシを有さない吸込口体を備えた電気掃除機にて床面上の多量のダストを一気に吸い込んでも掃除機本体内の電子回路基板が静電気によって破壊され難いことも実験によって確認した。
このことから、清掃時の吸込口体内で回転ブラシが回転することによって吸込口体とダストとの摩擦が激しくなり、それによって掃除機本体内の電子回路基板が破壊される程度の静電気が生じていると考えられる。
【０００７】
一方、特許文献２の電気掃除機では、吸込口体の外面部分を、帯電防止剤を含む樹脂からなる第１部材と、炭素繊維を含む樹脂からなる第２部材にて構成し、第２部材に帯電した静電気を第１部材を通じて放電（帯電を防止）することができるとされている。
また、特許文献２の電気掃除機では、延長管の内管本体に被着されるベース部材が帯電防止剤を含む樹脂にて形成することにより、内管本体に帯電する静電気は、ベース部材に装着される金属製の通電端子を介して給電手段（導電線やフラットケーブル）に放電することができ、これにより延長管を持った際に静電気による電気的ショックを受け難くなるとされている。
【０００８】
特許文献２では多量のダスト（特に、粉状のダスト）を一気に吸引したときに生じる静電気によって掃除機本体内の電子回路基板が破壊される静電破壊現象について記載されていないが、特許文献２の電気掃除機も吸込口体内に回転ブラシが設けられていることから掃除機本体内の電子回路基板が静電によって破壊されるおそれがある。
【０００９】
本発明は、このような課題に鑑みなされたものであり、清掃時に発生する静電気による電子回路基板の破壊を防止する電気掃除機の吸込口体を提供することを目的とする。
【課題を解決するための手段】
【００１０】
かくして、本発明によれば、吸込口を有する吸込口本体と、前記吸込口本体内で前記吸込口の近傍に回転可能に設けられた回転ブラシとを備え、
前記吸込口本体は、前記回転ブラシを部分的に包囲する回転ブラシ包囲壁部を有し、
前記回転ブラシ包囲壁部が帯電防止剤を含む樹脂にて形成された電気掃除機の吸込口体が提供される。
【発明の効果】
【００１１】
本発明の電気掃除機の吸込口体によれば、回転ブラシ包囲壁部が帯電防止剤を含む樹脂にて形成されているため、回転ブラシが回転する吸込口体にて多量のダスト、特に静電気を発生させやすい粉状のダストを一気に吸い込んでも、回転ブラシと近接する回転ブラシ包囲壁部での帯電が防止されるため、静電気による掃除機本体内の電子回路基板の破壊が防止される。
【図面の簡単な説明】
【００１２】
【図１】本発明に係る電気掃除機の実施形態１を示す斜視図である。
【図２】実施形態１の電気掃除機における吸込口体を示す斜視図である。
【図３】図２の吸込口体の分解図である。
【図４】図２の吸込口体における接続管部の起立状態であって（Ａ）は右側面図、（Ｂ）は右側断面図である。
【図５】図２の吸込口体における接続管部の倒れ状態であって（Ａ）は右側面図、（Ｂ）は右側断面図である。
【図６】実施形態１の吸込口体における回転ブラシであって（Ａ）は正面図、（Ｂ）は（Ａ）のI-I線矢視断面図である。
【図７】実施形態１の吸込口体における回転ブラシであって（Ａ）は右側面図、（Ｂ）は図７（Ａ）のII-II線矢視断面図、（Ｃ）は左側面図である。
【図８】実施形態１の電気掃除機における延長パイプのパイプ本体を示す斜視図である。
【図９】図８のパイプ本体からカバーを取り外した状態を示す斜視図である。
【図１０】図８のパイプ本体の分解図である。
【図１１】図８のパイプ本体における一端部を示す拡大側断面図である。
【図１２】図８のパイプ本体における他端部を示す拡大側断面図である。
【図１３】図８のパイプ本体におけるロック機構部の動作説明図であって（Ａ）はロック状態、（Ｂ）はロック解除状態である。
【図１４】実施形態１における延長パイプの一端部を示す左側面図である。
【図１５】図１４の延長パイプの端子部カバーの起立状態であって（Ａ）は斜視図、（Ｂ）は左側断面図である。
【図１６】図１４の延長パイプの端子部カバーの倒れ状態であって（Ａ）は斜視図、（Ｂ）は左側断面図である。
【発明を実施するための形態】
【００１３】
（実施形態１）
図１は本発明に係る電気掃除機の実施形態１を示す斜視図である。
この電気掃除機１は、掃除機本体１０と、吸込口体３０と、掃除機本体１０と吸込口体３０とを直接的に接続可能な延長パイプ２０とを備える。
なお、本明細書において、上下方向、左右方向および前後方向とは、電気掃除機１を使用する使用者から見た方向を示す。
【００１４】
〈掃除機本体〉
図１に示すように、掃除機本体１０は、駆動装置１１と、駆動装置１１に着脱可能に装着されるサイクロン方式の集塵ユニット１２とを備える。
駆動装置１１は、電動送風機（不図示）を内部に収納しかつ右側面に排気口（不図示）が形成された筐体１１ａと、筐体１１ａの後部に着脱可能に装着されるバッテリー１１ｂと、筐体１１ａに連設されたハンドル１１ｃと、ハンドル１１ｃに設けられて電動送風機の駆動と停止を操作する操作スイッチ１１ｄと、延長パイプ２０と接続可能なように筐体１１ａおよびハンドル１１ｃに連設された接続管部１１ｅとを備える。
【００１５】
集塵ユニット１２は、集塵容器１２ａと、集塵容器１２ａに着脱可能に装着されるフィルター部１２ｂとを有する。
集塵容器１２ａは、駆動装置１１の接続管部１１ｅに設けられた流出口１１ｅ1と接続可能な流入口（不図示）を有する。
フィルター部１２ｂは、集塵ユニット１２の駆動装置１１への装着時に筐体１１ａの流入口（不図示）と接続される。
【００１６】
このように構成された掃除機本体１０によれば、電動送風機の駆動時において、接続管部１１ｅから吸い込まれたダストを含む空気は、接続管部１１ｅの流出口１１ｅ1から集塵容器１２ａ内に流入する。そして、ダストは集塵容器１２ａ内に捕集され、ダストが除去された空気がフィルター部１２ｂを通過して掃除機本体１０の筐体１１ａ内に流入し、電動送風機を通過して排気口から排出される。
【００１７】
〈吸込口体〉
図２は実施形態１の電気掃除機における吸込口体を示す斜視図であり、図３は図２の吸込口体の分解図である。また、図４は図２の吸込口体における接続管部の起立状態であって（Ａ）は右側面図、（Ｂ）は右側断面図である。また、図５は図２の吸込口体における接続管部の倒れ状態であって（Ａ）は右側面図、（Ｂ）は右側断面図である。
【００１８】
図２〜図５に示すように、吸込口体３０は、吸込口３１ａ11を有する吸込口本体３１と、床面Ｆ上に載置された吸込口本体３１に対して左右方向軸心を中心に上下方向（矢印Ａ方向）へ揺動可能かつ延長パイプ２０と接続可能な接続管部３２と、接続管部３２を吸込口本体３１に対して前後方向軸心を中心に左右方向へ揺動させる関節部３３と、吸込口本体３１に対して接続管部３２を上方へ揺動させるよう付勢可能な接続管部用付勢部材３４とを有する。
【００１９】
吸込口本体３１は、下部ケース３１ａと、上部ケース３１ｂとを有する。
下部ケース３１ａは、底部に前記吸込口３１ａ11が形成されかつ吸込口３１ａ11の上方に回転ブラシ３１ｘを回転可能に収納する前スペース３１ａ1と、回転ブラシ駆動用モータ３１ｙを収納する後スペース３１ａ2と、ローラ３１ｚを回転可能に保持しかつ関節部３３を前後方向軸心を中心に回動可能に支持する後方突出状の支持板部３１ａ3とを有する。
【００２０】
さらに詳しく説明すると、下部ケース３１ａは、前スペース３１ａ1および吸込口３１ａ11形成して回転ブラシ３１ｘをその下部（吸込口３１ａ11から外部へ露出した部分）を除いて包囲する下方開口状の回転ブラシ包囲壁部３１ａｗ1と、後スペース３１ａ2を形成するように回転ブラシ包囲壁部３１ａｗ1の後端面に連設された上方開口状の後スペース形成壁部３１ａｗ2と、この後スペース形成壁部３１ａｗ2の後端面に連設された前記支持板部３１ａ3とを有する。
【００２１】
なお、回転ブラシ３１ｘの左端部に後述の溝付きプーリー３１ｘ411（図６（Ａ））が設けられると共に、回転ブラシ駆動用モータ３１ｙの出力軸に溝付きプーリー（不図示）が設けられており、これらの溝付きプーリーはタイミングベルト（不図示）にて連結されて回転ブラシ駆動用モータ３１ｙの回転力を回転ブラシ３１ｘに伝達するようになっている。
【００２２】
吸込口本体３１において、回転ブラシ包囲壁部３１ａｗ1は、前端部に設けられたバンパー３１ａｗ11と、バンパー３１ａｗ11の上端部から後方へ側面視円弧形に湾曲して設けられた上湾曲壁部３１ａｗ12と、上湾曲壁部３１ａｗ12の上端部から下方へ向かって垂設された区画壁部３１ａｗ13と、バンパー３１ａｗ11と上湾曲壁部３１ａｗ12と区画壁部３１ａｗ13との左右端部に連設された左右側壁部３１ａｗ14とを有し、バンパー３１ａｗ11の左右端部は半円弧形に形成されて左右側壁部３１ａｗ14の外周部に一体化されている。
【００２３】
実施形態１の場合、回転ブラシ包囲壁部３１ａｗ1において、上湾曲壁部３１ａｗ12と左右側壁部３１ａｗ14とは帯電防止剤を含む熱可塑性樹脂にて形成されている。
具体的には、上湾曲壁部３１ａｗ12と左右側壁部３１ａｗ14とは、帯電防止剤を５〜１５重量％、好ましくは７〜１３重量％、より好ましくは９、１０または１１重量％含有する透明樹脂（例えば、ＡＢＳ樹脂）にて形成されている。
帯電防止剤としては、一般的なノニオン型活性剤、カチオン型活性剤等を用いることができ、実施形態１では三洋化成株式会社製のPELESTAT-NC6321を用いている。
なお、透明樹脂中の帯電防止剤の含有量が５重量％より少ないと所望の帯電防止効果が得られ難くなる傾向にあり、１５重量％を超えると所望の透明性および強度が得られ難くなる傾向にある。
【００２４】
下部ケース３１ａは、回転ブラシ包囲壁部３１ａｗ1における透明な上湾曲壁部３１ａｗ12と左右側壁部３１ａｗ14、およびバンパー３１ａｗ11を除いた部分は、帯電防止剤を含まない着色された熱可塑性樹脂（例えば、ＡＢＳ樹脂等）にて形成されており、これらの着色された樹脂部分と透明な樹脂部分とが二色成形により一体化されている。また、バンパー３１ａｗ11は、例えば着色されたＰＥ樹脂にて形成されており、回転ブラシ包囲壁部３１ａｗ1の上湾曲壁部３１ａｗ12と左右側壁部３１ａｗ14に融着または接着により一体化されている。
なお、上部ケース３１ｂも帯電防止剤を含まない着色された熱可塑性樹脂（例えば、ＡＢＳ樹脂等）にて形成されている。
【００２５】
接続管部３２は、左右両端面に左右方向軸心を中心とする軸部３２ａ1を有する基端円柱部３２ａと、基端円柱部３２ａに連設された大径部３２ｂと、大径部３２ｂに連設された先端小径部３２ｃと、大径部３２ｂと先端小径部３２ｃとの間の裏面側の段差部から先端小径部３２ｃの方へ突設された一対の棒状の外部端子部３２ｄとを有する。なお、ここで「裏面側」とは使用状態の電気掃除機を正面から視たときの反対側の面を意味し、「裏面側」の反対面を「表面側」ということとする。
【００２６】
大径部３２ｂは一対の外部端子部３２ｄの基端部およびこれらと電気的に接続された後述の導電体を覆うカバー部材３２ｂ1を有しており、接続管部３２におけるカバー部材３２ｂ1を除いた部分（通風路を形成する部分）は帯電防止剤を５〜１５重量％、好ましくは７〜１３重量％、より好ましくは９、１０または１１重量％含有する着色樹脂（例えば、ＰＰ樹脂）にて形成されている。
【００２７】
基端円柱部３２ａには関節部３３の内部に開口する基端開口部３２ａ2が形成されており、回転ブラシ駆動用モータ３１ｙの一対の端子部（不図示）から延びる導電体（例えば、一対のリード線）（不図示）が関節部３３の後述する流入口３３ｃと接続管部３２の基端開口部３２ａ2および大径部３２ｂを通って一対の外部端子部３２ｄに電気的に接続されている。
また、先端小径部３２ｃの裏面には、延長パイプ２０に設けられた後述するロック機構部２１ｄの係止爪２１ｄ11（図１１参照）が係脱可能に係止する係止凹部３２ｃ1が設けられている。
【００２８】
関節部３３は、接続管部３２の左右の軸部３２ａ1を回動可能に支持する下ケース３３ａと、接続管部３２の基端円筒部３２ａを覆うように下ケース３３ａと接合される上ケース３３ｂとを有し、間接部３３の前端部には吸込口本体３１の吸込口３１ａ11と連通する前記流入口３３ｃが形成されている。
【００２９】
下ケース３３ａおよび上ケース３３ｂの内部には接続管部３２の基端円柱部３２ａの軸部３２ａ1を回動可能に保持するリブが設けられると共に、それらの内面は基端円柱部３２ａが軸部３２ａ1を中心に上下方向に揺動可能なように凹曲面となっている。
また、下ケース３３ａおよび上ケース３３ｂにおける流入口３３ｃの周囲部には円弧状の外鍔部３３ａ1および内鍔部３３ｂ1が設けられており、外鍔部３３ａ1および内鍔部３３ｂ1はこれらを回動可能に保持するよう吸込口本体３１の下部ケース３１ａおよび上部後ケース３１に設けられた円弧状溝部に嵌り込んでいる。
【００３０】
接続管部用付勢部材３４は、接続管部３２の左右の軸部３２ａ1のうちの少なくとも一方を挿入させるように取り付けられた捻りコイルバネ（捻りバネ）からなり、捻りコイルバネの両端部は接続管部３２の基端円柱部３２ａと関節部３３の上ケース３３ｂに固定されている。
この接続管部用付勢部材３４によって、接続管部３２はその先端小径部３２ｃがほぼ垂直状に起立する方向（矢印Ａ方向）に付勢されている。そのため、図５（Ａ）および（Ｂ）に示すように接続管部３２を手で後方へ押して倒れた状態に揺動させても、図４（Ａ）および（Ｂ）に示すように手を離せば接続管部３２は自動的にほぼ垂直状態まで起き上がる。
また、本発明の電気掃除機１における吸込口体３０は、図１のように掃除機本体１０の自立状態を保つために、吸込口体３０の接続管部３２（図２）をほぼ垂直状態より前方に僅かに傾けられる状態で位置決めすることができる構造であり、この自立状態を補助する役割を果たすことができる。
【００３１】
なお、接続管部用付勢部材３４は接続管部３２が自動的にほぼ垂直状態まで起き上がるように付勢するものであればどのようなものでもよく、捻りコイルバネ（捻りバネ）に限定されないが、狭い収納スペースに設けることができ、かつ強い付勢力が得られやすい上で捻りコイルバネが好適である。
また、接続管部用付勢部材３４は接続管部３２が起き上がるように付勢するものであるが、接続管部３２がほぼ垂直状態まで起き上がることに限らず、任意の角度に位置するようにしてもよい。この場合には、捻りコイルバネの付勢力を調整することで接続管部３２を任意の位置に留めることができる。例えば、身長が低い使用者の場合には、延長パイプ２０を吸込口体３０の接続管部３２に挿入する際に、接続管部３２が傾斜している方がほぼ垂直状態から挿入する場合より挿入しやすくなる。
【００３２】
図６は実施形態１の吸込口体における回転ブラシであって（Ａ）は正面図、（Ｂ）は（Ａ）のI-I線矢視断面図である。また、図７は実施形態１の吸込口体における回転ブラシであって（Ａ）は右側面図、（Ｂ）は図７（Ａ）のII-II線矢視断面図、（Ｃ）は左側面図である。なお、図６では回転ブラシ３１ｘのブラシ毛およびブレードは図示を省略している。
【００３３】
図６（Ａ）と（Ｂ）および図７（Ａ）〜（Ｃ）に示すように、回転ブラシ３１ｘは、外周部に複数の螺旋溝３１ｘ11を有する軸本体３１ｘ1と、軸本体３１ｘ1の複数の螺旋溝に嵌め込まれた２種類の清掃部材３１ｘ21、３１ｘ22と、軸本体３１ｘ1の両端部に取り付けられた軸受部３１ｘ3、３１ｘ4とを有する。
【００３４】
一方の清掃部材３１ｘ21は帯状のブラシ台に樹脂繊維（例えば、ポリアミド系樹脂）の毛部が設けられたブラシであり、他方の清掃部材３１ｘ22はゴム製または布製のブレードであり、それぞれ交互に中心角度９０°で配置されている。なお、図６（Ａ）および（Ｂ）中の点線部分は清掃部材３１ｘ21、３１ｘ22の輪郭を示している。
【００３５】
右側端部の軸受部３１ｘ3は、軸本体３１ｘ1の右側端部に嵌め込まれた固定部材３１ｘ31と、軸本体３１ｘ3の中心と一致する固定部材３１ｘ31の中心に固定された軸３１ｘ32と、軸３１ｘ32に取り付けられたベアリング３１ｘ33と、ベアリング３１ｘ33に取り付けられたフランジ３１ｘ34とを有する。
この軸受部３１ｘ3において、フランジ３１ｘ34の軸３１ｘ32を覆う中心部に角筒部３１ｘ341が設けられている。
【００３６】
左側端部の軸受部３１ｘ4は、軸本体３１ｘ1の左側端部に嵌め込まれた固定部材３１ｘ41と、軸本体３１ｘ3の中心と一致する固定部材３１ｘ41の中心に固定された軸３１ｘ42と、軸３１ｘ42に取り付けられたベアリング３１ｘ43と、ベアリング３１ｘ43に取り付けられたブロック３１ｘ34とを有する。
この軸受部３１ｘ4において、固定部材３１ｘ41の外周部には、駆動用モータ３１ｙの出力軸に固定された前記溝付きプーリー（不図示）と前記タイミングベルト（不図示）によって連結する前記溝付きプーリー３１ｘ411が設けられている。
【００３７】
回転ブラシ３１ｘの軸受部３１ｘ3の角筒部３１ｘ341および軸受部３１ｘ4のブロック３１ｘ34は、吸込口本体３１の回転ブラシ包囲壁部３１ａｗ1の左右側壁部３１ａｗ14の内面に設けられたリブに着脱可能に嵌め込まれ、これにより回転ブラシ３１ｘがブラシ包囲壁部３１ａｗ1内で回転可能に支持される。
なお、回転ブラシ３１ｘの外周部となる一対の清掃部材３１ｘ21（ブラシ）の径方向への突出寸法および一対の清掃部材３１ｘ22（ブレード）の径方向への突出寸法は、回転ブラシ３１ｘが吸込口本体３１内で回転しても回転ブラシ包囲壁部３１ａｗ1に接触しない寸法、具体的には回転ブラシ包囲壁部３１ａｗ1との間に１〜５ｍｍ程度の隙間が形成される寸法に設定されている。
【００３８】
本発明の吸込口体３０は、吸込口本体３１における回転ブラシ包囲壁部３１ａｗ1が帯電防止剤を含む樹脂にて形成されたことにより、回転ブラシ包囲壁部３１ａｗ1の固有抵抗値が小さくなって摩擦等で発生する静電気が空気中に放電しやすくなり、この結果、回転ブラシ包囲壁部３１ａｗ1への帯電が予防される。したがって、回転ブラシ３１ｘが高速回転（例えば、１５００〜５０００ｒｐｍ程度）する吸込口体３０にて多量のダスト、特に静電気を発生させやすい粉状のダストを一気に吸い込んでも、回転ブラシ３１ｘと近接する回転ブラシ包囲壁部３１ａｗ1での帯電が防止されるため、静電気が延長パイプ２０の導電体を伝うことによる掃除機本体１０内の電子回路基板の破壊が防止される。
それに加え、ダストが吸込口本体３１から延長パイプ２０へ向かう際に通る狭い通風路である接続管部３２も帯電防止剤を含む樹脂にて形成されていることにより、接続管部３２での帯電も防止されるため、回転ブラシ包囲壁部３１ａｗ1による帯電防止と接続管部３２による帯電防止の相乗効果によって静電気による掃除機本体１０内の電子回路基板の破壊が効果的に防止される。
【００３９】
〈延長パイプ〉
図８は実施形態１の電気掃除機における延長パイプのパイプ本体を示す斜視図であり、図９は図８のパイプ本体からカバーを取り外した状態を示す斜視図であり、図１０は図８のパイプ本体の分解図である。また、図１１は図８のパイプ本体における一端部を示す拡大側断面図であり、図１２は図８のパイプ本体における他端部を示す拡大側断面図である。また、図１３は図８のパイプ本体における一端部側のロック機構部の動作説明図であって（Ａ）はロック状態、（Ｂ）はロック解除状態である。また、図１４は実施形態１における延長パイプの一端部を示す左側面図である。
【００４０】
図１、図８および図１４に示すように、延長パイプ２０は、パイプ本体２１と、パイプ本体２１における吸込口体３０と接続される一端部側に設けられた環状ブラシ部２２とを備える。
【００４１】
図９〜図１３に示すように、パイプ本体２１は、中間円筒部２１ａと、中間円筒部２１ａの一端部（上流側端部）に挿入され連結される第１接続部２１ｂと、中間円筒部２１ａの他端部（下流側端部）に挿入され連結される第２接続部２１ｃと、第１接続部２１ｂに設けられた前記ロック機構部２１ｄと、第１接続部２１ｂの外面から第２接続部２１ｃの外面に亘って設けられた一対の導電体２１ｅおよびロック解除操作機構部２１ｆと、第１接続部２１ｂの外面から第２接続部２１ｃの外面に亘って設けられて一対の導電体２１ｅの一部およびロック解除操作機構部２１ｆの一部を覆う中間円筒部カバー２１ｇ、第１接続部２１ｂの外面に設けられてロック機構部２１ｄと一対の導電体２１ｅの一部とを覆う第１接続部カバー２１ｈと、第２接続部２１ｃの外面に設けられてロック解除操作機構部２１ｆの一部と一対の導電体２１ｅの一部とを覆う第２接続部カバー２１ｉとを備える。
【００４２】
第１接続部２１ｂは、中間円筒部２１ａの一端部（上流側端部）に挿入され固定される挿入管部２１ｂ1と、挿入管部２１ｂ1に連設された接続管部２１ｂ2とを有する。
接続管部２１ｂ2はその外面に、吸込口体３０の一対の外部端子部３２ｄ（図２参照）を挿入させる一対の孔部２１ｂ21を有する端部閉鎖用リブと、一対の導電体２１ｅの一部とロック機構部２１ｄとを収納する収納用リブとが設けられている。
さらに、接続管部２１ｂ2は、その収納用リブで囲まれた部分における外面から内面に亘って貫通し、ロック機構部２１ｄの後述する係止爪２１ｄ11を挿通させる貫通孔２１ｂ22が形成されている。
【００４３】
第２接続部２１ｃは、中間円筒部２１ａの他端部（下流側端部）に挿入され固定される挿入管部２１ｃ1と、挿入管部２１ｃ1に連設された中間部２１ｃ2と、中間部２１ｃ2に連設された接続管部２１ｃ3とを有する。
中間部２１ｃ2はその外面に、一対の導電体２１ｅの後述する棒形端子２１ｅ3を接続管部２１ｃ3側へ突出させるよう保持する保持用リブを有している。
接続管部２１ｃ3はその外面における一対の棒形端子２１ｅ3と対向する側の面に、掃除機本体１０の駆動装置１１の接続管部１１ｅに設けられた図示しないロック機構部の係止爪を係脱可能に係止させる係止凹部２１ｃ31を有している。なお、駆動装置１１のロック機構は、延長パイプ２０の後述するロック機構部２１ｄと同様に構成されている。
【００４４】
導電体２１ｅは、リード線２１ｅ1と、リード線２１ｅ1の両端部に電気的に接続されたクリップ形端子２１ｅ2および棒形端子２１ｅ3とを有し、前記孔部２１ｂ21と対向するようにクリップ形端子２１ｅ2が前記収納用リブで囲まれたスペースに収納される。
【００４５】
［ロック機構部］
ロック機構部２１ｄは、延長パイプ２０の一端部の貫通孔２１ｂ22を挿通可能な係止爪２１ｄ11を有しかつ係止爪２１ｄ11の貫通孔２１ｂ22への挿通方向に揺動可能として一端部（第１接続部２１ｂ）の外面に設けられたロック部材２１ｄ1と、係止爪２１ｄ11を貫通孔２１ｂ22に挿通させる方向にロック部材２１ｄ1を付勢するロック部材用付勢部材とを備える。
【００４６】
さらに詳しく説明すると、ロック機構部２１ｄは、吸込口体３０の接続管部３２における係止凹部３２ｃ1（図２参照）と係脱可能な前記係止爪２１ｄ11を有するロック部材２１ｄ1と、ロック部材２１ｄ1の係止爪２１ｄ11を係止凹部３２ｃ1に係止させる方向に付勢するロック部材用付勢部材としての圧縮バネ２１ｄ2とを有する。
【００４７】
ロック部材２１ｄ1において、係止爪２１ｄ11は一方の端部に設けられ、反対側の端部には押しボタン２１ｄ12が係止爪２１ｄ11とは反対方向に突出して設けられ、係止爪２１ｄ11と押しボタン２１ｄ12との間にはそれらの突出方向と直交する方向に突出する左右一対の軸部２１ｄ13が設けられている。
【００４８】
また、ロック部材２１ｄ1は、延長パイプ２０の他端部（第２接続部２１ｃ）へ向かうにつれて延長パイプ２０の外面に接近する方向に傾斜する摺接片２１ｄ14を有する。
さらに詳しく説明すると、ロック部材２１ｄ1における係止爪２１ｄ11の近傍には、押しボタン２１ｄ12側から軸部２１ｄ13側へ向かうにつれて係止爪２１ｄ11の方へ傾斜する左右一対の摺接片２１ｄ14が設けられている（図１３参照）。
【００４９】
ロック部材２１ｄ1が第１接続部２１ｂに組み込まれた状態において、圧縮バネ２１ｄ2は第１接続部２１ｂと押しボタン２１ｄ12との間に配置され、これにより軸部ｄ13を支点として係止爪２１ｄ11は貫通孔２１ｂ22を挿通する方向に付勢されている。
【００５０】
［第１接続部カバー］
第１接続部カバー２１ｈは、ロック部材２１ｄ1の押しボタン２１ｄ12を外部へ露出させる孔部２１ｈ1と、タッピングネジ２１ｊを挿通させる孔部２１ｈ2とを有し、孔部２１ｈ2を挿通したタッピングネジ２１ｊが第１接続部２１ｂに設けられたボス部に螺着することにより第１接続部２１ｂに固定される。
【００５１】
［中間円筒部カバー］
中間円筒部カバー２１ｇは、内面側に長手方向に延びる３つの長細いスペースを形成するよう長手方向の２本リブ（不図示）を有すると共に、他端部（下流側端部）にロック解除操作機構部２１ｆの後述するワイヤー２１ｆ1の折れ曲がった他端部を長手方向にスライド可能に挿通させる孔部２１ｇ1と、ロック解除操作機構部２１ｆの後述する付勢部材２１ｆ4を収納する凹部２１ｇ2と、タッピングネジ２１ｋを挿通させる孔部２１ｇ3とを有する。
なお、中間円筒部カバー２１ｇの内側の３つの長細いスペースのうち両側のスペースに一対のリード線２１ｅ1が通され、中央のスペースには後述のロック解除操作機構部２１ｆのワイヤー２１ｆ1が通される。
【００５２】
［ロック解除操作機構部］
ロック解除操作機構部２１ｆは、延長パイプ２０の長手方向にスライド可能に延長パイプ２０の他端部（第２接続部２１ｃ）に設けられた操作レバー２１ｆ3と、ロック部材２１ｄ1と摺接可能なように延長パイプ２０の一端部（第１接続部２１ｂ）の外面に長手方向にスライド可能に設けられたスライド片２１ｆ2と、延長パイプ２０の外面に長手方向に沿って設けられて操作レバー２１ｆ3とスライド片２１ｆ2とを連結する連結部材とを備え、操作レバー２１ｆ3にて連結部材を介してスライド片２１ｆ2を延長パイプ２０の長手方向へスライドさせることにより、圧縮バネ２１ｄ2の付勢力に抗して係止爪２１ｄ11を係止凹部３２ｃ1から離脱させる方向に揺動させるように構成されている。
【００５３】
さらに詳しく説明すると、ロック解除操作機構部２１ｆは、第１接続部２１ｂから第２接続部２１ｃに亘って延びる前記連結部材としてのワイヤー２１ｆ1と、ロック部材２１ｄ1の左右一対の摺接片２１ｄ14と摺接可能にワイヤー２１ｆ1の一端部に連結されてスライド片２１ｆ2と、ワイヤー２１ｆ1の他端部に連結された操作レバー２１ｆ3と、操作レバー２１ｆ3を第１接続部２１ｂの方へスライドするよう付勢する付勢部材２１ｆ4とを備える。なお、ワイヤー２１ｆ1は、圧縮方向に撓まないものが使用される。
【００５４】
スライド片２１ｆ2は、延長パイプ２０の他端部側（第２接続部２１ｃ側）へのスライド時にロック部材２１ｄ1の摺接片２１ｄ14と摺接して係止爪２１ｄ11が吸込口体３０の係止凹部３２ｃ1から離脱する方向にロック部材２１ｄ1を揺動させる摺接爪２１ｆ21を有する。
【００５５】
さらに詳しく説明すると、スライド片２１ｆ2は、略Ｕ形に形成されており、その両端部に互いに向かい合う方向に折れ曲がった一対の摺接爪２１ｆ21を有し、両端部の間の中間部に設けられた差込孔にワイヤー２１ｆ1の折れ曲がった一端部が横方向から差し込まれて連結されている（図１０参照）。
【００５６】
操作レバー２１ｆ3は、トリガー形に形成されており、その突起部分に使用者の指を引っ掛けて引くことができるよう構成されると共に、突起部分の内側近傍に設けられた差込孔にワイヤー２１ｆ1のＬ形に折れ曲がった他端部が差し込まれて連結されている（図１２参照）。
【００５７】
付勢部材２１ｆ4は、中間円筒部カバー２１ｇの凹部２１ｇ2ｃ内に収納された圧縮バネであり、操作レバー２１ｆ3を第１接続部２１ｂの方へスライドするよう付勢しており、これによりワイヤー２１ｆ1を介してスライド片２１ｆ2がロック部材２１ｄ1の軸部２１ｄ13の方へ付勢されている。
なお、ワイヤー２１ｆ1を介してスライド片２１ｆ2をロック部材２１ｄ1の軸部２１ｄ13の方へスライドさせるものであれば付勢部材２１ｆ4は圧縮バネに限定されるものではなく、例えば、板バネでもよい。
【００５８】
［第２接続部カバー］
第２接続部カバー２１ｉは、ロック操作解除機構部２１ｆにおける操作レバー２１ｆ3の突起部分を長手方向スライド可能に挿通させる孔部２１ｉ1と、タッピングネジ２１ｋを挿通させる孔部２１ｉ2とを有し、孔部２１ｉ2を挿通したタッピングネジ２１ｋが第２接続部２１ｃに設けられたボス部に螺着することにより第２接続部２１ｃに固定される。これにより、操作レバー２１ｆ3のスライド方向の両端部が第２接続部カバー２１ｉによって覆われ、かつスライド方向への移動が所定範囲内に規制される。
【００５９】
［環状ブラシ部］
図１４は実施形態１における延長パイプの一端部を示す左側面図である。また、図１５は図１４の延長パイプの端子部カバーの起立状態であって（Ａ）は斜視図、（Ｂ）は左側断面図である。また、図１６は図１４の延長パイプの端子部カバーの倒れ状態であって（Ａ）は斜視図、（Ｂ）は左側断面図である。なお、図１５および図１６では、環状ブラシ部２２のブラシ毛束の図示を省略している。
【００６０】
環状ブラシ部２２は、パイプ本体２１の一端部の第１接続部２１ｂに接続される接続管部２２ａと、接続管部２２ａの開口端部の外面に取り付けられたノズル形のブラシ基部２２ｂと、ブラシ基部２２ｂの開口端面に形成された複数の植設孔２２ｂ1に植設された複数のブラシ毛束２２ｃと、接続管部２２ａの開口端部の内面に揺動可能に取り付けられた端子部カバー２２ｄと、端子部カバー２２ｄを起き上がらせる方向に付勢する端子部カバー用付勢部材（不図示）とを備える。
【００６１】
接続管部２２ａは、パイプ本体２１の第１接続部２１ｂが差し込まれる端部に、第１接続部２１ｂの押しボタン２１ｄ12を外部へ露出させるスリット２２ａ1が形成されている。また、接続管部２２ａの左右側面には左右一対の半球形軸部２２ａ2が同一軸心上に設けられると共に、開口端部の外面は凸曲面となっている。
【００６２】
ブラシ基部２２ｂは、接続管部２２ａの左右一対の半球形軸部２２ａ2を嵌め込む左右一対の孔部２２ｂ11を有すると共に、接続管部２２ａの外面の凸曲面と嵌り合う凹曲面を内面に有している。したがって、ブラシ基部２２ｂは、左右一対の半球形軸部２２ａ2を中心に揺動可能に接続管部２２ａに取り付けられている。
【００６３】
端子部カバー２２ｄは、延長パイプ２０のクリップ形端子２１ｅ2を外部へ露出させる状態または外部から覆う状態に切り替えるためのものであり、直方体の一面に凹曲面部２２ｄ1を形成した形状に形成されており、左右方向の軸２２ｅによって揺動可能に接続管部２２ａの開口端部におけるスリット２２ａ1側の内面に取り付けられている。また、端子部カバー２２ｄは、軸２２ｅの周囲部に接続管部２２ａの凹曲面を摺動する揺動片２２ｄ2を有している。
【００６４】
図示しない付勢部材は、軸２２ｅの左右一方の端部に取り付けられた捻りコイルバネであり、例えば、この捻りコイルバネの一端部は端子部カバー２２ｄに固定され、かつ他端部は接続管部２２ａに固定されている。
【００６５】
〈吸込口体の延長パイプへの着脱について〉
このように構成された環状ブラシ部２２がパイプ本体２１ａの第１接続部２１ｂに接続された状態において、第１接続部２１ｂの一対のクリップ形端子２１ｅ2に通じる一対の孔部２１ｂ21（図９参照）は、図１５（Ａ）および（Ｂ）に示すように、起き上がった端子部カバー２２ｄによって外部から覆われている。
したがって、延長パイプ３０から吸込口体３０を取り外して環状ブラシ２２にて床面の隅部等を清掃する際、ダストを含む空気が端子部カバー２２ｄの凹曲面部２２ｄ1に沿って流れてパイプ本体２１ａ内に流入するため、第１接続部２１ｂの一対のクリップ形端子２１ｅ2にダストが付着しないようになっている。
【００６６】
さらに、端子部カバー２２ｄの揺動片２２ｄ2が接続管部２２ａの凹曲面との間の隙間を塞いでいるため、この隙間にダストを含む空気が流入してダストが第１接続部２１ｂの一対のクリップ形端子２１ｅ2に付着することもない。
この結果、吸込口体３０を延長パイプ２０に接続したときに、延長パイプ２０側のクリップ形端子２１ｅ2と吸込口体３０側の外部端子部３２ｄとの接点不良といった故障を防止することができる。さらに、外部端子部３２ｄに接続管部２２ａが接触したり、外部端子部３２ｄに手が触れることを防止することができる。
【００６７】
また、吸込口体３０を延長パイプ２０に接続する際、吸込口体３０の接続管部３２の先端小径部３２ｃ（図２参照）を環状ブラシ部２２に挿入していくと、先端小径部３２ｃが起き上がった端子部カバー２２ｄの凹曲面部２２ｄ1によってパイプ本体２１の第１接続部２１ｂの開口部へ案内される。そして、先端小径部３２ｃが第１接続部２１ｂ内に挿入されていくと、吸込口体３０の一対の外部端子部３２ｄおよび大径部３２ｂが端子部カバー２２ｄの凹曲面部２２ｄ1を押し、図１６（Ａ）および（Ｂ）に示すように、端子部カバー２２ｄは軸２２ｅを中心に揺動してパイプ本体２１と平行な状態まで倒れる。
【００６８】
これにより、パイプ本体２１側の一対のクリップ形端子２１ｅ2が外部に露出するため、吸込口体３０側の一対の外部端子部３２ｄがパイプ本体２１側の一対のクリップ形端子２１ｅ2内に挿入されて電気的に接続すると共に、吸込口体３０側の係止凹部３２ｃ1に延長パイプ２０側のロック機構部２１ｄの係止爪２１ｄ11が係止し、吸込口体３０の延長パイプ２０への接続が完了する。
【００６９】
さらに詳しく説明すると、延長パイプ２０のロック機構部２１ｄの自由状態においては、図１３（Ａ）に示すように圧縮バネ２１ｄ2によってロック部材２１ｄ1の押しボタン２１ｄ12が外方へ押し出され、かつ係止爪２１ｄ11が第１接続部２１ｂの内部へ突出している。この状態の延長パイプ２０の第１接続部２１ｂ内に吸込口体３０の接続管部３２の先端小径部３２ｃを差し込むと、先端小径部３２ｃの係止凹部３２ｃ1にロック機構部２１ｄの係止爪２１ｄ11が係止し、延長パイプ２０に抜けないように吸込口体３０が接続され、吸込口体３０の一対の外部端子部３２ｄが延長パイプ２０の一対のクリップ形端子２１ｅ2内に挿入されて電気的に接続する。
【００７０】
このとき、吸込口体３０の一対の外部端子部３２ｄは接続管部３２ｃの裏面側に配置されているため、吸込口体３０と接続した延長パイプ２０のロック機構部２１ｄおよびロック解除操作機構部２１ｆの操作レバー２１ｆ3も裏面側に配置されることになる（図１参照）。
また、延長パイプ２０の他端部の接続管部２１ｃ3は、掃除機本体１０の駆動装置１１の接続管部１１ｅ内に差し込まれて接続され、これにより延長パイプ２０の接続管部２１ｃ3の係止凹部２１ｃ31に駆動装置１１の接続管部１１ｅに設けられた図示しないロック機構部の係止爪が係止してロックし、かつ延長パイプ２０の一対の棒形端子２１ｅ3が駆動装置１１の接続管部１１ｅ内に設けられた図示しない一対のクリップ形端子内に差し込まれて電気的に接続する。なお、駆動装置１１側のロック機構部は、延長パイプ２０側のロック機構部２１ｄと同様に構成されている。
【００７１】
一方、ロック機構部２１ｄのロック部材２１ｄ1の押しボタン２１ｄ12を押すことにより、図１３（Ｂ）に示すように軸部２１ｄ13を中心にロック部材２１ｄ1が揺動し、係止爪２１ｄ11が第１接続部２１ｂ内から外方（矢印Ｃ方向）へ引っ込んで係止爪２１ｄ11が係止凹部３２ｃ1から離脱してロックが解除される。そのため、押しボタン２１ｄ12を押しながら延長パイプ２０と吸込口体３０とを互いに引き離すことにより、延長パイプ２０から吸込口体３０を取り外すことができる。
【００７２】
さらに、本発明の電気掃除機１によれば、ロック解除操作機構部２１ｆの操作レバー２１ｆ3を矢印Ｂ方向（図１２参照）に引くことによってもロック機構部２１ｄのロックを解除することもできる。
この場合、操作レバー２１ｆ3を指で矢印Ｂ方向に引くと、図１３（Ｂ）に示すようにワイヤー２１ｆ1を介してスライド片２１ｆ2が矢印Ｂ方向に引っ張られ、スライド片２１ｆ2の左右一対の摺接爪２１ｆ21がロック部材２１ｄ1の左右一対の摺接片２１ｄ14の傾斜面に摺接しながら矢印Ｂ方向に移動する。これにより、左右一対の摺接片２１ｄ14と共に係止爪２１ｄ11が軸部２１ｄ13を中心に矢印Ｃ方向に揺動して第１接続部２１ｂ内から外方へ引っ込み、係止爪２１ｄ11が係止凹部３２ｃ1から離脱してロックが解除される。
【００７３】
そのため、使用者は立った姿勢で吸込口体３０の吸込口本体３１を踏んで床面Ｆに押さえ付け、操作レバー２１ｆ3を矢印Ｂ方向に引きながら延長パイプ２０を引っ張ることにより、使用者は腰を屈めることなく立ったままの楽な姿勢で延長パイプ２０から吸込口体３０を取り外すことができる。
なお、操作レバー２１ｆ3から指を離すと、付勢部材２１ｆ4によって第１接続部２１ｂの方へ付勢された操作レバー２１ｆ3、ワイヤー２１ｆ1およびスライド片２１ｆ2がロック部材２１ｄ1の軸部２１ｄ13側へスライドし、かつ圧縮バネ２１ｄ2によって付勢されたロック部材２１ｄ1が軸部２１ｄ13を中心に図１３（Ａ）に示す自由状態まで揺動する。
【００７４】
図２、図４（Ａ）および（Ｂ）に示すように、延長パイプ２０から取り外された床面Ｆ上の吸込口体３０は、付勢部材３４によって接続管部３２が起立した状態を維持する。そのため、再び延長パイプ２０を吸込口体３０に接続する際も、使用者は立った姿勢で吸込口体３０の吸込口本体３１を踏んで床面Ｆに押さえ付け、延長パイプ２０の一端部の第１接続部２１ｂ内に吸込口体３０の接続管部３２を差し込むことにより、使用者は腰を屈めることなく立ったままの楽な姿勢で延長パイプ２０に吸込口体３０を取り付けることができる。
【００７５】
（実施形態２）
実施形態１では吸込口体３０の回転ブラシ３１ｘがモータ３１ｙにて回転駆動する場合を例示したが、本発明の吸込口体は気流によって回転ブラシが回転するものであってもよい。
すなわち、図示しない実施形態２の吸込口体は、吸込口本体内に設けられた回転ブラシおよびタービンと、タービンの回転力を回転ブラシに伝達するように吸込口本体内に設けられた回転力伝達機構部とを備え、実施形態１と同様に吸込口体における吸込口本体の回転ブラシ包囲壁部は帯電防止剤を含む樹脂にて形成されたものであり、さらには吸込口体の接続管部も帯電防止剤を含む樹脂にて形成されたものであってもよい。
【００７６】
実施形態２の場合、実施形態１のように回転ブラシ用モータに電力を供給する導電体が吸込口体および延長パイプに設けられることはないが、炭素繊維を含む樹脂にて形成された延長パイプに対応している。
炭素繊維を含む樹脂は導電性を有するため、このような導電性を有する材料にて形成された延長パイプを用いても吸込口体での帯電を防止することにより掃除機本体内の電子回路基板の静電破壊を防止することができる。
【００７７】
（実施形態３）
実施形態３の吸込口体（不図示）は、実施形態２の吸込口体の構成に加えて、吸込口本体に回転可能に設けられた駆動輪と、駆動輪に吸込口本体内に設けられた駆動輪用モータと、接続管部に設けられた一対の外部端子部と、一対の外部端子部と駆動輪用モータが有する一対の端子部とをそれぞれ電気的に接続する導電体とをさらに備える。
【００７８】
モータ駆動の駆動輪を備えた吸込口体を備えた電気掃除機の場合、吸込口体と掃除機本体とを接続する延長パイプに沿って、掃除機本体から駆動輪用モータへ電力を供給する導電体が設けられ、この導電体を伝って吸込口体から掃除機本体へ静電気が導電しやすくなっているが、実施形態３の吸込口体ではこのような場合でも吸込口体から掃除機本体への静電気の導電を防止することができる。
なお、モータ駆動の駆動輪は、実施形態１の吸込口体に設けられてもよい。
【００７９】
（他の実施形態）
実施形態１〜３ではスティック型電気掃除機の場合を例示したが、本発明は掃除機本体に車輪が設けられたキャニスター型電気掃除機、延長パイプを介さずに掃除機本体と吸込口体とが接続されたアップライト型電気掃除機等にも適用可能である。
また、各種端子部およびリード線の数量については、実施形態１〜３に限定されない。例えば、端子部が３個でリード線が３本とする場合も本発明に包含される。
【００８０】
（まとめ）
本発明の電気掃除機の吸込口体は、吸込口を有する吸込口本体と、前記吸込口本体内で前記吸込口の近傍に回転可能に設けられた回転ブラシとを備え、
前記吸込口本体は、前記回転ブラシを部分的に包囲する回転ブラシ包囲壁部を有し、
前記回転ブラシ包囲壁部が帯電防止剤を含む樹脂にて形成されている。
【００８１】
本発明の電気掃除機の吸込口体は、次のように構成されてもよく、それらが適宜組み合わされてもよい。
（１）前記回転ブラシ包囲壁部は、前記帯電防止剤を５〜１５重量％含有する透明樹脂にて形成されてもよい。
この構成によれば、回転ブラシ包囲壁部での帯電防止効果を低下させることなく、回転ブラシが外部から目視可能なように回転ブラシ包囲壁部の透明性を確保することができると共に、回転ブラシ包囲壁部の強度も確保することができる。
【００８２】
（２）前記吸込口本体内に設けられた回転ブラシ用モータと、前記回転ブラシ用モータの回転力を前記回転ブラシに伝達するように前記吸込口本体内に設けられた回転力伝達機構部と、前記接続管部に設けられた外部端子部と、前記外部端子部と前記回転ブラシ用モータが有する端子部とをそれぞれ電気的に接続する導電体とをさらに備えてもよい。
モータ駆動の回転ブラシを備えた吸込口体の場合、吸込口体と掃除機本体とを接続する延長パイプに沿って、掃除機本体から回転ブラシ用モータへ電力を供給する導電体が設けられ、この導電体を伝って吸込口体から掃除機本体へ静電気が導電しやすくなっているが、本発明の吸込口体ではこのような導電体を伝っての吸込口体から掃除機本体への静電気の導電を防止することができる。
【００８３】
（３）前記吸込口本体内に設けられたタービンと、前記タービンの回転力を前記回転ブラシに伝達するように前記吸込口本体内に設けられた回転力伝達機構部とをさらに備えてもよい。
タービン駆動の回転ブラシを備えた吸込口体の場合、回転ブラシを気流にて回転させるため、前記（２）のように回転ブラシ用モータに電力を供給する導電体を延長パイプに設ける必要はないが、延長パイプが導電性の素材、例えば炭素繊維を含む樹脂にて形成されている場合は静電気が延長パイプを伝って掃除機本体へ導電しやすくなっている。このような場合でも、本発明の吸込口体では導電性を有する延長パイプを伝っての吸込口体から掃除機本体への静電気の導電を防止することができる。
【００８４】
（４）前記吸込口本体に回転可能に設けられた駆動輪と、前記駆動輪に前記吸込口本体内に設けられた駆動輪用モータと、前記接続管部に設けられた外部端子部と、前記外部端子部と前記駆動輪用モータが有する端子部とをそれぞれ電気的に接続する導電体とをさらに備えてもよい。
モータ駆動の駆動輪を備えた吸込口体の場合、吸込口体と掃除機本体とを接続する延長パイプに沿って、掃除機本体から駆動輪用モータへ電力を供給する導電体が設けられ、この導電体を伝って吸込口体から掃除機本体へ静電気が導電しやすくなっているが、本発明の吸込口体ではこのような導電体を伝っての吸込口体から掃除機本体への静電気の導電を防止することができる。
【００８５】
（５）前記吸込口本体に揺動可能に取り付けられた接続管部をさらに備え、
前記接続管部が、帯電防止剤を含む樹脂にて形成されてもよい。
接続管部は流路が狭いためダストとの摩擦によって帯電しやすいが、帯電防止剤を含む樹脂にて接続管部を形成することにより接続管部での帯電が防止され、回転ブラシ包囲壁部との相乗効果によって静電気の掃除機本体への流れをより効果的に防止することができる。
【００８６】
なお、開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【符号の説明】
【００８７】
１  電気掃除機
３０  吸込口体
３１  吸込口本体
３１ａ11  吸込口
３１ａｗ1  回転ブラシ包囲壁部
３１ｘ  回転ブラシ
３１ｙ  回転ブラシ用モータ
３２  接続管部
３２ｄ  外部端子部
【図１】
2019136386.tif 000003
【図２】
2019136386.tif 000004
【図３】
2019136386.tif 000005
【図４】
2019136386.tif 000006
【図５】
2019136386.tif 000007
【図６】
2019136386.tif 000008
【図７】
2019136386.tif 000009
【図８】
2019136386.tif 000010
【図９】
2019136386.tif 000011
【図１０】
2019136386.tif 000012
【図１１】
2019136386.tif 000013
【図１２】
2019136386.tif 000014
【図１３】
2019136386.tif 000015
【図１４】
2019136386.tif 000016
【図１５】
2019136386.tif 000017
【図１６】
2019136386.tif 000018